Podtech/llm-jp-corpus-v4-ja_patent huggingface dataset:
(57)【要約】【課題】  環境問題を踏まえ、屋上緑化などが注目されているが、芝生の植え込みは雑草処理や手入れに手間が掛かるため、それに替わる防草シートを挟み込んだ苔菌を練り付けて培養した緑化マットが普及し始めている。その緑化マットや人工芝マット、カーペット等を簡単で頑丈に固定することが求められる。本発明はこのような課題を克服するために為されたものである。【解決手段】  本発明は、薄くて丈夫な金属板▲１▼に矢印状突起▲２▼が向かい合う位置で切り込み▲３▼を入れ、双方を垂直に起こし、起こした矢印状突起▲２▼の鍔▲４▼の両側を内側に軽く折り曲げ、同じ矢印状突起▲２▼の頂点▲５▼を若干内側に折り曲げたことを特徴としたマット固定具である。【選択図】図３
2015033373.tif 000002
【特許請求の範囲】
【請求項１】
金属板▲１▼に矢印状突起▲２▼が向かい合う位置で切り込み▲３▼を入れ、双方を垂直に起こし、起こした矢印状突起▲２▼の鍔▲４▼の両側を内側に軽く折り曲げ、同じ矢印状の突起の頂点▲５▼を若干内側に折り曲げたことを特徴としたマット固定具。
【発明の詳細な説明】
【技術分野】
【０００１】  本発明は、カーペットや屋上緑化人工芝マットなどを屋根や屋上、地上などに固定する方法に関するものである。
【背景技術】
【０００２】  従前のマット固定具は、限定的な使用法に限られた状況にあった。【０００３】  上記の問題を解決するため、マットやカーペットを下部からグリップする方法で固定する下記に記述した参考文献があるが、いずれもその固定強度に限界があった。
【発明の概要】
【発明が解決しようとする課題】
【０００４】  環境問題を踏まえ、屋上緑化などが注目されているが、芝生の植え込みは雑草処理や手入れに手間が掛かるため、それに替わる防草シートを挟み込んだ苔菌を練り付けて培養した緑化マットが普及し始めている。その緑化マットや人工芝マット、カーペット等を簡単で頑丈に固定することが求められる。本発明はこのような課題を克服するために為されたものである。
【課題を解決するための手段】
【０００５】  本発明は、薄くて丈夫な金属板▲１▼に矢印状突起▲２▼が向かい合う位置で切り込み▲３▼を入れ、双方を垂直に起こし、起こした矢印状突起▲２▼の鍔▲４▼の両側を内側に軽く折り曲げ、同じ矢印状の突起の頂点▲５▼を若干内側に折り曲げたことを特徴としたマット固定具である。
【先行技術文献】
【０００６】
【特許文献１】特開平６−２６９３４６
【特許文献２】特開平７−２８９０８１
【発明の効果】
【０００７】  本発明の矢印状突起▲２▼に固定マット▲８▼を上部から強く押し付けることで、内側に向かった形状の鍔▲４▼と頂点▲５▼が内側に折り曲がり、強くマット▲８▼をグリップする。
【０００８】  向かい合う矢印状突起▲２▼の間隔を小さくして数を多くすることで、その固定強度も増える。
【０００９】  抑え作業は、木製板などを被せ、木製ハンマーなどで行うことも出来る。
【００１０】  マットに養生をして転圧ローラー機で抑えることも可能である。
【００１１】  内装用の絨毯やカーペットの固定具としも効果を発揮する。
【図面の簡単な説明】
【００１２】
【図１】本発明の矢印状突起▲２▼の切り込み▲３▼を入れた鳥瞰図。
【図２】本発明の矢印状突起▲２▼を垂直に起こした鳥瞰図。
【図３】本発明の矢印状突起▲２▼の鍔▲４▼及び頂点▲５▼を内側に折り曲げた鳥瞰図。
【図４】本発明に固定マット▲６▼を上部から押し付けた断面図
【発明を実施するための形態】
【００１３】  本発明は、屋上緑化に使用する苔栽培のマットやカーペットなどに採用実施するものであり、金属突起によって人身に危害を及ぼさない形状にしなければならない。一方、切り抜く金属板には一定以上の強度が無ければ、マットを置いた時点で突き刺す以前に潰れてしまう場合があり、その強度と形状に工夫の伴う業態とする。
【実施例１】
【００１４】  金属板▲１▼をステンレス板で成型した本発明の実施例。
【実施例２】
【００１５】  金属板▲１▼にアンカーボルトを取り付け、地上固定用に成型した本発明の実施例。
【実施例３】
【００１６】  金属板▲１▼にマグネットを取り付けて、鉄板屋根に取り付けた本発明の実施例。
【実施例４】
【００１７】  苔菌を練り付けて培養した苔シート専用として使用する本発明の実施例。
【実施例５】
【００１８】  人工芝を固定するために使用する本発明の実施例。
【実施例６】
【００１９】  内装用カーペットや絨毯を固定するために使用する本発明の実施例。
【実施例７】
【００２０】  苔菌を練り付けて培養した苔シートを外壁に取り付けるために使用する本発明の実施例。
【実施例８】
【００２１】  高速道路などの中央分離帯に取り付ける苔菌を練り付けて培養した苔シートとして用いる本発明の実施例。
【産業上の利用可能性】
【００２２】  本発明は、手入れの簡易的な苔菌を練り付けて培養した苔シートでの屋上緑化利用として、冷房省エネに活用が可能となる。【００２３】  本発明は、苔菌を練り付けて培養した苔シートをアンカーボルトで固定し、ガーデニングでの緑地帯として活用する本発明の実施例。【００２４】  本発明は、構造がシンプルで量産性が高く、安価に使用出来る事から、公共の緑地帯や住宅部材として汎用できる可能性がある。
【符号の説明】
【００２５】  ▲１▼  金属板
▲２▼  矢印状突起
▲３▼  切り込み
▲４▼  矢印状突起の鍔
▲５▼  矢印状突起の頂点
▲６▼  マット
【図１】
2015033373.tif 000003
【図２】
2015033373.tif 000004
【図３】
2015033373.tif 000005
【図４】
2015033373.tif 000006
(57)【要約】【課題】遠心力利用の推進機の開発【解決手段】基盤（１）に設けた回転軸（３）にモーター（２）と四節回転連鎖のリンク装置の第１のリンク（４）を連結し、その回転によって第２のリンク（６）を介して第３のリンク（８）を、遠心力の方向を定めて固定した架台（１０）に設けた回転軸（９）を中心に回転させることで、第３のリンクと、それに設けた腕（１１）に設置した重り（１２）で遠心力を発生させ推進機として利用する。【選択図】図１
2015033320.tif 000002
【特許請求の範囲】
【請求項１】
基盤（１）に設けた回転軸（３）にモーター（２）と四節回転連鎖のリンク装置の第１のリンク（４）を連結し、その回転によって第２のリンク（６）を介して第３のリンク（８）を、遠心力の方向を定めて固定した架台（１０）に設けた回転軸（９）を中心に回転させることで、第３のリンクと、それに設けた腕（１１）に設置した重り（１２）で遠心力を発生させ推進機として利用する。
【発明の詳細な説明】
【技術分野】
【０００１】  本発明は輸送機関の推進機に関する。
【背景技術】
【０００２】  現在、輸送機関に用いられている推進機は、航空機にあってはプロペラ、ジェットエンジン、ロケット、船舶にあってはスクリュウ、自動車にあっては駆動輪と地面の摩擦によって推進する等種々の原理を利用しているが、遠心力を利用した推進機は存在しない。
【発明の概要】
【発明が解決しようとする課題】
【０００３】  本発明は遠心力を利用した推進機の開発を目的としている。
【課題を解決するための手段】
【０００４】本発明は上記目的を達成するために、遠心力を発生させる重り、四節回転連鎖のリンク装置、架台、動力としてのモーターが基盤に設置してある。【０００５】モーターは基盤に設けた回転軸と連結しており、その回転軸にはリンク装置の第１のリンクの一端が連結している。第１リンクの他端は第２のリンクの一端と回転軸で連結している。第２のリンクの他端は第３のリンクの一端と回転軸で連結している。その第３のリンクの連結部位の先端は回転軸より伸長してあり腕を形成させ、その腕に遠心力を発生させる重りが設置してある。第３のリンクの他端は架台に設けた回転軸に連結している。【０００６】基盤に設置した回転軸と架台に設置した回転軸との距離は一定で第４リンクとしての固定リンクを形成している。【０００７】各リンクの長さの比は第３のリンクの回転軸間の長さを１０としたとき、第２のリンクの回転軸間の長さは４から１０の間、第１のリンクの回転軸間の長さは５から８になるようにする。【０００８】また、基盤に設けた回転軸と架台に設けた回転軸間の距離すなわち、第４の固定リンクの長さは、両者を同一平面上に投影したときの距離として２から５の間になるようにする。【０００９】架台は基盤に設けた回転軸を中心にして発生する遠心力の方向をかえるために、必要な角度回転できるようにしてある。【００１０】本発明の説明のために動力としてモーターを用いたが、目的によって適当な動力を採用することができる。【００１１】上記機構の作用は、モーターによってリンク装置を基盤と架台の回転軸の間で作動させることによって、第１のリンクから第２のリンクへ、第２のリンクから第３のリンクへ回転が伝わり、架台に設けた回転軸を中心に回転する第３のリンクとその腕に設置した重りとによって発生する遠心力を推進機の推進力として利用する。
【発明の効果】
【００１２】上述のごとく、発生した遠心力を輸送機関の推進機として広く活用することができる。
【図面の簡単な説明】
【００１３】
【図１】本発明の実施形態を示す推進機の一部断面斜視図
【発明を実施するための形態】
【００１４】以下、本発明の実施の形態を図１に基づいて説明する。
【００１５】図１において、基盤１に設置した回転軸４で、動力としてのモーター２とリンク装置の第１のリンク３が連結している。第１のリンク３の他端は回転軸５で第２のリンク６と連結している。第２のリンク６の他端は回転軸７で第３のリンク８と連結している。回転軸７より第３のリンクの先端は伸長して腕１１を形成させ、それに重り１２が設置してある。第３のリンクの他端は架台１０に設けた回転軸９に連結している。
【００１６】架台１０は発生する遠心力の方向を決めるために基盤１の回転軸４を中心に所定の角度回転させてネジ１３で固定する。
【００１７】リンク装置の作動が円滑にして行われるために必要に応じて第２のリンク６にストッパー１４を設ける。また、ストッパーは第の３リンクに設置してもよい。
【００１８】以下、上記構成の動作を説明する。
モーター２で第１のリンク４を回転させると、第２のリンク６を介して第３のリンク８が架台１０に設けた回転軸９を中心に回転する。
これによって、重り１２と第３のリンク８によって遠心力が発生する。
【００１９】本発明の推進機は竪型の他横型でも作動可能である。
【符号の説明】
【００２０】  １、  基盤
２、モーター
３、回転軸
４、第１のリンク
５、回転軸
６、第２のリンク
７、回転軸
８、第３のリンク
９、回転軸
１０、架台
１１、腕
１２、重り
１３、ネジ
１４、ストッパー
【図１】
2015033320.tif 000003
(57)【要約】【課題】固定をするテーピングテープと炎症を抑える湿布は直接貼りが互いに有効なために選択が迫られ効果が少なかったが、本発明はテーピングテープと湿布が一緒なために患部に湿布して赤く腫れた炎症を抑えるのと同時に筋断裂部をテーピング固定し安静にさせる効果を提供する。【解決手段】従来の湿布の大きさは７×１０ｃｍ  １０×１４ｃｍ  １４×２０ｃｍとサイズが限定されていたがこれを長巻にしたことで患部を包み込み巻く事により固定力が生まれ、患部に直接貼る事により有効となる湿布を貼るか、テーピングテープを施すか、どちらを優先させるか選択に悩まないで、湿布に包帯を巻く処置も一工程ですみ、少しでも素材を薄くすることで被れるのを軽減することができる。【選択図】図１
2015033579.tif 000002
【特許請求の範囲】
【請求項１】
湿布（２）をテープや包帯の様に長巻にしたものに付着防止フイルム（３）を張って芯（１）の周りに巻き付きた湿布
【請求項２】
湿布（２）に付着防止フイルム（３）を張って芯（１）の周りに巻いたものを適当に切り断裂した筋肉の走行に合わせて貼るとテーピングができると同時に湿布ができる。
【発明の詳細な説明】
【技術分野】
【０００１】  本発明は、プラスチック素材のテープや布の包帯等に本来は入っていない湿布の成分のサルチル酸メチル、カンフル、メントール等の有効成分が入れた湿布に関するものである。
【背景技術】
【０００２】  従来はテーピングテープと包帯と湿布とが別になっていた。
【先行技術文献】
【特許文献】
【０００３】
【特許文献１】  特に見当たらない
【発明の概要】
【発明が解決しようとする課題】打撲、捻挫、挫傷を起こした際、皮膚患部の炎症を軽減する為に湿布を皮膚に貼る事が有効であるが、しかし患部を固定し二次的筋断裂を防ぐ意味ではテーピングを皮膚に直接貼る事も大切であるが湿布かテープ固定のどちらを患部に直接貼るかの選択が従来一般的に迫られ効果が落ちてもテーピングをして皮膚が少し顔を出している所に湿布を貼りまたその上から布包帯等を巻く、以上このような手間がかかる問題点があったが、テープ包帯湿布を患部を中心に貼ることで筋線維の２次的断裂を防ぐとともに患部を冷やし炎症の発赤、熱感、腫脹、疼痛、機能障害を軽減する効果があり、またギブスのような完全固定ではなく関節の運動をある程度抑制して痛みを軽減して行動ができる利点が速やかにできる、湿布の製造法に関するものである。
【発明が解決しょうとする手段】
【０００４】  湿布（２）に付着防止フイルム（３）を貼って芯（１）の周りに巻いた、湿布とテープ包帯の利点を併せ持つものだが、最近では粘着性の湿布で弾性テーピングテープに似た素材のものあるが、大きさが７×１０ｃｍ  １０×１４ｃｍ  １４×２０ｃｍと限定されている、固定力をも考えると企画外の長さが必要となる。幅は３ｃｍ  ５ｃｍ  ７ｃｍ  １０ｃｍ  １４ｃｍ程度でもよいが長さが受傷部位の上下関節を取り巻くこと等を考慮し６０ｃｍ以上が必要であるが、市販の粘着性の湿布で大きさは７×１０ｃｍ  １０×１４ｃｍ  １４×２０ｃｍと限定なのを、ロールテープ状に長くしてテープ包帯の湿布とする。
【発明の効果】
【０００５】  テープ帯包湿布をテーピングとして使う場合は、多少の弾性力が在ることが望ましい、予めスポーツの前などに怪我をしやすい部位に貼る場合、関節を巻き包み込むことによりギブスの様な完全固定とならず関節可動域を超える無理が掛かった時に怪我を未然に防ぐテーピングテープ効果が得られ、合わせて湿布の効果により炎症の発赤、熱感、腫脹、疼痛、機能障害を防ぐ効果が得られるが、テープ包帯湿布を怪我して、包帯として使う場合、打撲、捻挫、挫傷を起こした患部と近接の関節を取り巻くことで筋線維の２次的断裂を防ぐとともに患部を冷やし炎症の発赤、熱感、腫脹、疼痛、機能障害を軽減効果があり関節運動を抑制して痛みを軽減し行動がある程度できるが、本発明は有効成分が患部に行き届くと同時に固定も出来て素材が厚くならず、交換も簡単で足などの怪我では靴が履きにくくならずに工夫され、従来の様に、湿布かテーピングテープかの選択に迫られず社会における相当範囲にわたる人の利便性と利用能率効果をたかめ社会生活の向上に貢献する事を目的とする。
【図面の簡単な説明】
【０００６】
【図１】本発明の斜視図である
【図２】本発明の使用時の斜視図である
【発明を実施をするための形態】
【０００７】（１）芯に巻いてある（２）湿布を（３）付着防止フイルムを剥がしながら患部に巻いていく。もしくは肉離れ等の筋断裂の大きさにより５０〜６０ｃｍと予め長く切り筋肉の走行に合わせて貼る
【符号の説明】
【０００８】（１）芯
（２湿布
（３）付着防止フイルム
【図１】
2015033579.tif 000003
【図２】
2015033579.tif 000004
(57)【要約】【課題】シーサーは雌と雄二匹で一対が一般的であるが、それぞれ口の形が違い阿吽の呼吸を表し、ア、ウ、ン、を表すも、ウ、の口が見当たらない。本発明はこの間にウの口の少し小さい子供の、シーサーを数匹入れて少子化に歯止をかけて子育て支援のシンボルマスコットシーサーを提供する。【解決手段】雌（１）と雄（３）二匹で一対のシーサーの間に少し小さい子供の、ウの口を開くシーサー（２）を数匹入れ、アウンの口で阿吽の呼吸を表し、２匹で１対のものを３匹４匹５匹とすることを特徴とし連帯感を表現して沖縄地方を中心に活性化と少子化に歯止めをかける子育て支援シンボルマスコットシーサー【選択図】図１
2015033580.tif 000002
【特許請求の範囲】
【請求項１】
アの口を開くシーサー（１）と、ンの口を閉じるシーサー（２）二匹で一対のシーサーの間にウの口を開く少し小さい子供のシーサー（３）を入れた（１）（２）のシーサーの股下に（４）の小さい子供のシーサーを入れことを特徴とする、阿吽の口のマスコットシーサー置物。
【発明の詳細な説明】
【技術分野】
【０００１】本発明は、シーサーに関するものであるが、シーサーは、雌と雄二匹で一対が一般的だが、雌のシーサーと雄のシーサーの違いは、口の違いにある、アの口を開いている雌のシーサー（１）ンの口を閉じている雄のシーサー（２）２匹でアウンは、雌はお喋り、アの口、雄は黙りンの口、また逆の説もあるが、どちらにしても雄雌１対であるが、この２匹の間に、ウの口を開く少し小さい子供のシーサー（３）を入れて（１）（２）の股下に小さい子供のウの口をしたシーサー（４）を入れる。アウンのシーサー子育て家族として少子化に歯止めをかけて子育て支援マスコットとした。
【背景技術】
【０００２】従来のシーサーは、雌雄の２匹の固定的であった。
アの口を開く雌シーサーと、ンの口を閉じている雄のシーサーの２匹が一対であった。
【先行技術文献】
【特許文献】
【０００３】
【特許文献１】特に見当たらない
【発明の概要】
【発明が解決しようとする課題】
【０００４】本来シーサーが２匹のアウンの呼吸とするならば、２匹では、ウの口を開けるシーサーが必要となり欠点があった。
【発明が解決しょうとする手段】
【０００５】雌雄の２匹の固定的でなく小さな子供のシーサー、少し小さな子供シーサーを仲立ちして子育て家族支援マスコットとし、子育て少子化に歯止めをかけ、社会における相当範囲にわたる人の精神的世代間の合成を高めて社会生活の向上や経済の発展に貢献する事を目的とする。
【発明の効果】
【０００６】少子化に歯止めをかけて、雌雄の２匹のシーサーから子供を入れて家族を増やし世代間交流のシンボルとし、家族の微妙な気持ちやまた、それがぴったりと合うことを、アの口、ウの口、ンの口のシーサーが表す。
【図面の簡単な説明】
【０００７】
【図１】本発明の分解斜視図である
【図２】本発明の斜視図である
【発明を実施するための形態】
【０００８】シーサーは本来、沖縄県の人や家、村に災いをもたらす悪霊を追い払う魔よけの意味を持ち建物の屋根や門、部落の高台の公民館付近に据え付けられた獅子の方言シーサーである。最近ではお守りキーホルダーがあり、土産品になっている。誇張かれた捩りの笑ったシーサーもあり、限られた場所にかぎらず本発明は雄雌つがいに限定されずに、子供を入れ増やす事が出来き、動物は獅子に限らず子供の時と大人になってからは、色や毛並み形さえ違うもののあることから現在のシーサーの１対はそのままにして子供の少し小さいウの口をしたシーサーを付け加えることもでき、沖縄県を中心とした活性化と家族を増やし少子化に歯止めをかける子を育成し支援するイメージを広げるマスコットとシーサーとした。
【符号の説明】
【０００９】符号（１）    アの口を開いている雌のシーサー
符号（２）    ンの口を閉じている雄シーサー
符号（３）    ウの口を開く少し小さい子供のシーサー
符号（４）    ウの口を開く小さい子供のシーサー
【図１】
2015033580.tif 000003
【図２】
2015033580.tif 000004
(57)【要約】      （修正有）【課題】日本人にもなじみやすく、食べやすくするとともに、でき上がった料理、ごはん、焼きそば、うどん等にかけたりして使用でき、町おこしにも利用することができるサルサソースを提供する。【解決手段】サルサ・メヒカーナ、サルサ・ベルデ、サルサ・ロハと称されるサルサソース本体２に小さくスライスし、調味料で下味をつけた味付けタケノコを該サルサソース本体に対し、２０〜２５重量パーセントで混合し、数分煮込んでサルサソースを構成している。サルサソース本体は微塵切りの３００ｇのタマネギ４、２００ｇのパプリカ５、８０ｇのハラペーニョ６を少々の食用油で炒め、火が通ったところで、１２００ｇのトマト９に少々の調味料を入れ、１０分程煮込んで作ったものである【選択図】図１
2015065813.tif 000002
【特許請求の範囲】
【請求項１】
サルサ・メヒカーナ、サルサ・ベルデ、サルサ・ロハと称されるサルサソース本体に小さくスライスし、調味料で下味をつけた味付けタケノコを該サルサソース本体に対し、２０〜２５重量パーセントで混合し、数分煮込むことを特徴とするサルサソース。
【請求項２】
サルサソース本体は微塵切りの３００ｇのタマネギ、２００ｇのパプリカ、８０ｇのハラペーニョを少々の食用油で炒め、火が通ったところで、１２００ｇのトマトに少々の調味料を入れ、１０分程煮込んで作ったものであることを特徴とする請求項１記載のサルサソース。
【請求項３】
味付けタケノコに使用されるタケノコは１ｍｍ〜５ｍｍ×１ｍｍ〜５ｍｍ×１ｍｍ〜５０ｍｍに小さくスライスされた４００ｇのものが使用されていることを特徴とする請求項１、請求項２いずれかに記載のサルサソース。
【発明の詳細な説明】
【技術分野】
【０００１】
本発明は調理する時に調味料として使用したり、でき上がった料理、ごはん、焼きそば、うどん等にかけたりして使用されるサルサソースに関する。
【背景技術】
【０００２】
サルサソースはメキシコ独特のソースで、使うチレ（トウガラシ）の種類や分量、その他に加える食材や調理法等の違いで様々なものが作られている。
しかし、サルサソースはメキシコ独特のソースであるため、日本人にはなじみずらく、あまり使用されていないのが現状である。
【先行技術文献】
【特許文献】
【０００３】
【特許文献１】特になし
【発明の概要】
【発明が解決しようとする課題】
【０００４】
本発明は以上のような従来の点に鑑み、日本人にもなじみやすく、食べやすくするとともに、でき上がった料理、ごはん、焼きそば、うどん等にかけたりして使用でき、町おこしにも利用することができるサルサソースを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はサルサ・メヒカーナ、サルサ・ベルデ、サルサ・ロハと称されるサルサソース本体に小さくスライスし、調味料で下味をつけた味付けタケノコを該サルサソース本体に対し、２０〜２５重量パーセントで混合し、数分煮込んでサルサソースを構成している。
【発明の効果】
【０００７】
以上の説明から明らかなように、本発明にあっては次に列挙する効果が得られる。
（１）請求項１により、サルサソース本体に日本人が好むタケノコを小さくスライスし、調味料で味付けしたものを２０〜２５重量パーセント混合し、数分煮込んだものであるので、日本人にも食しやすくできる。
（２）前記（１）により、タケノコの産地がメキシコと友好都市の関係にある所では、町おこしの商品にすることができる。
（３）前記（１）によって、タケノコを小さくスライスし、調味料で味付けしたものをサルサソース本体に２０〜２５重量パーセントを混合しているので、サルサソース本体の味覚が残り、タケノコのシャキシャキ感があるものにすることができる。
したがって、今までにない味覚や食感にすることができる。
（４）請求項２、３も前記（１）〜（３）と同様な効果が得られる。
【図面の簡単な説明】
【０００８】
【図１】サルサソース本体の製造工程の説明図。
【図２】味付けタケノコの製造工程の説明図。
【図３】本発明の第１の形態の製造工程の説明図。
【発明を実施するための形態】
【０００９】
以下、図面に示す本発明を実施するための形態により、本発明を詳細に説明する。
【００１０】
図１ないし図３に示す本発明を実施するための第１の形態において、１はサルサソース本体２に味付けタケノコ３を、該サルサソース本体２に対して、２０〜２５重量パーセントで混合し、数分、例えば５分程煮込んで作った、調理する時に調味料として使用したり、でき上がった料理、ごはん、焼きそば、うどん等にかけたりして使用できるサルサソースである。  
【００１１】
前記サルサソース本体２は、一般に使用されているサルサ・メヒカーナ、サルサ・ベルデ、サルサ・ロハと称されるものを使用してもよいが、例えば微塵切りの３００ｇのタマネギ４、微塵切りの２００ｇのパプリカ５、微塵切りの８０ｇのハラペーニョ６を、少々の食用油７を鍋８に入れて炒め、火が通ったところで１２００ｇのホールトマト、カットトマトあるいは水煮トマト等のトマト９と少々の調味料１０を鍋８に入れて１０分程煮込んで作る。
【００１２】
前記調味料は２０ｇの鶏ガラスープ１１、少々の砂糖１２、少々のしょう油１３、少々の胡椒１４、３枚のローリエ１５が用いられている。
【００１３】
前記味付けタケノコ３は１ｍｍ〜５ｍｍ×１ｍｍ〜５ｍｍ×１ｍｍ〜５０ｍｍに小さくスライスされた４００ｇのタケノコ６と少々の調味料１７を鍋１８に入れ、下味がつくように煮込んだものが用いられている。
【００１４】
上記のようにして製造されたサルサソース１は、サルサソース本体２に対して２０〜２５重量パーセントの味付けタケノコ３が混合されて煮込まれているので、日本人の好みの味付けタケノコ３が含まれており、日本人が好むサルサソース１になる。
【００１５】
また、メキシコと関係のある地方がタケノコの産地であると、その地の町おこしとしても利用することができる。
【００１６】
なお、サルサ・メヒカーナと称されるサルサソース本体２はトマトとタマネギ、緑色をした生のチレ（チレ・ハラぺーニョ等）、コリアンダー（独特の香りをもつ野菜）、ニンニクを刻んで混ぜ合わせ、塩で味を調えたものを使用してもよい。
【産業上の利用可能性】
【００１７】
本発明はサルサソースを製造する産業で利用される。
【符号の説明】
【００１８】
１：サルサソース、      ２：サルサソース本体、
３：味付けタケノコ、    ４：タマネギ、
５：パプリカ、      ６：ハラペーニョ、  
７：食用油、        ８：鍋、
９：トマト、        １０：調味料、
１１：鳥ガラスープ、    １２：砂糖、
１３：しょう油、      １４：胡椒、
１５：ローリエ、      １６：タケノコ、
１７：調味料、      １８：鍋。
【図１】
2015065813.tif 000003
【図２】
2015065813.tif 000004
【図３】
2015065813.tif 000005
(57)【要約】【課題】一般に菜園支柱を必要な形状に組み立てる作業と、使用後にそれを解体する作業は、複数の棒状の支柱を組み合わせて紐などで結わいて固定し、解体時も固定した部分を全て解く必要がある。このような方法による支柱の組み立てと解体は人手による作業を要し、菜園の規模が大きくなるほど労力と時間を要するのが問題である。【解決手段】本発明は上記のような実情に鑑みなされたもので、網状に形成された支柱を必要時に組み立て、アンカーで地面に固定すれば設置作業が完了することで労力と時間の軽減を目的としている。【選択図】図６
2015065899.tif 000002
【特許請求の範囲】
【請求項１】
網状に形作られた支柱と、それらを地面上で連結する基底板と、基底板上の網状の支柱の角度が１８０度可動可能にすることにより支柱形状を合掌式または分掌式に自由に組み立て可能で、基底版を地面にアンカーで固定することにより網状の立体支柱を畑に設置できることを特徴とした網状支柱。
【発明の詳細な説明】
【技術分野】
【０００１】
本発明は野菜、草花。果物などを栽培する菜園で植物のつるが伸びて果実をつける過程の生育を補助する、容易に組み立て可能な網状支柱に関するものである。
【発明の概要】
【発明が解決しようとする課題】
【０００２】
一般に菜園支柱を必要な形状に組み立てる作業と、使用後にそれを解体する作業は、複数の棒状の支柱を組み合わせて紐などで結わいて固定し、解体時も固定した部分を全て解く必要がある。このような方法による支柱の組み立てと解体は人手による作業を要し、菜園の規模が大きくなるほど労力と時間を要するのが問題である。
【０００３】
本発明は上記のような実情に鑑みなされたもので、網状に形成された支柱を必要時に組み立て、アンカーで地面に固定すれば設置作業が完了することで労力と時間の軽減を目的としている。
【課題を解決するための手段】
【０００４】
網状に形作られた支柱と、それらを地面上で連結する基底板と、基底板上の網状の支柱の角度が１８０度可動可能にすることにより支柱形状を合掌式または分掌式に自由に組み立て可能で、基底版を地面にアンカーで固定することにより網状の立体支柱を畑に設置できる網状支柱を提供する。
【図面の簡単な説明】
【０００５】
【図１】網支柱の斜視図である、
【図２】基底板の斜視図である。
【図３】アンカーの斜視図である。
【図４】分掌式固定棒の斜視図である。
【図５】網支柱、基底板、アンカー、分掌式固定棒の接続部分図である。
【図６】網状支柱を合掌式に組み立てた場合の斜視図である。
【図７】網状支柱を分掌式に組み立てた場合の斜視図である。
【実施例】
【０００６】
以下、本発明の実施例を図面に基づいて説明する。この網状支柱の構成部品は網支柱、基底板、分掌用固定棒、アンカーを設けている。
【０００７】
網支柱は図１、図５に示すように網状に作られており、網支柱の主柱各２箇所に半円アーチ状フック掛けがある。分掌式固定棒の両端のフック部を掛けて、２組の網支柱を４本の分掌式固定棒で接続することにより分掌式支柱を組み立てる。主柱下部には貫通穴が有り、ここに基底板上の軸受け部の軸を通すことにより、網支柱は基底板上で取り付け角度が１８０度可動可能になる。これにより合掌式、分掌式各形態に組み立て可能である。
【０００８】
基底板は図２、図５に示すように2箇所の軸受け部があり、ここに網支柱の主柱下部の貫通穴に軸を通す。両端には地面に固定するためのアンカーを通す固定穴がある。
【０００９】
アンカーは図３、図５に示すように基底板の固定穴に通して地面に挿し込み支柱全体を固定する。
【００１０】
分掌式固定棒は図４、図５に示すように両端がフック状になっており、網支柱の主柱部の半円アーチ状フック掛けに接続し、２組の網支柱を平行に保つことで分掌式支柱を形成する。
【００１１】
合掌式支柱は図６に示すように両網支柱の横柱を束線具等で固定することで形成する。
【００１２】
分掌式支柱は図７に示すように分掌式固定棒で両網支柱を平行に固定することで形成する。
【符号の説明】
【００１３】
1  横柱
2  主柱
3  半円アーチ状フック掛け
4  貫通穴
5  基底板
6  アンカー穴
7  軸受け部
8  アンカー
9  分掌式固定棒部
１０  フック部
１１  束線具
【図１】
2015065899.tif 000003
【図２】
2015065899.tif 000004
【図３】
2015065899.tif 000005
【図４】
2015065899.tif 000006
【図５】
2015065899.tif 000007
【図６】
2015065899.tif 000008
【図７】
2015065899.tif 000009
(57)【要約】【課題】軸受引抜き構造を有しながら、軸受強度を充分に確保できるようにした円すいころ軸受を提供することにある。【解決手段】内周面に転動面を備えた外輪と、転動面と前記転動面を挟んで一対の鍔部とで外周面を形成した内輪と、前記外輪と前記内輪の両転動面上にあって前記外輪と前記内輪とを互いに相対回転させるとともに回転中心軸が軸受の回転中心軸に対して傾斜している複数の転動体とを備えた円すいころ軸受であって、前記転動体の回転軸方向端部の少なくとも一方に螺子溝を形成した。これにより、軸受引抜き構造を有しながら、軸受の転動面及び鍔部の強度を充分に確保することが可能となる。【選択図】図１
2015230009.tif 000002
【特許請求の範囲】
【請求項１】
内周面に転動面を備えた外輪と、転動面と前記転動面を挟んで一対の鍔部とで外周面を形成した内輪と、前記外輪と前記内輪の両転動面上にあって前記外輪と前記内輪とを互いに相対回転させるとともに回転中心軸が軸受の回転中心軸に対して傾斜している複数の転動体とを備えた円すいころ軸受であって、前記転動体の回転軸方向端部の少なくとも一方に螺子溝を形成したことを特徴とする円すいころ軸受。
【発明の詳細な説明】
【技術分野】
【０００１】
本発明は、圧延機のロールネックなどに用いる円すいころ軸受に関する。
【背景技術】
【０００２】
従来から、圧延機のロールネック軸などに組込まれている円すいころ軸受は、ロールネック等の機器の分解点検及び再組立て作業が可能となるように、軸受の転動輪に軸受引抜き用或いは軸受釣り上げ用の螺子穴を設けている（例えば、特許文献１）。そして、前記螺子穴に例えばIボルト等を羅合するとともに、図示しない駆動源により、かかるIボルトの目玉部分にワイヤー等を掛け回して軸受を引抜いたり吊り上げたりしている。
【先行技術文献】
【特許文献】
【０００３】
【特許文献１】特開２００６−３２２５４７号公報
【発明の概要】
【発明が解決しようとする課題】
【０００４】
しかしながら、特許文献１のような構造を軸受に採用すると、転動体の転動面近傍の鍔部に螺子穴が設けられるため、転動面や鍔部の強度低下を誘引し、軸受の繰り返し高負荷入力による変形によって軸受の摺動抵抗が増加する虞があった。
【０００５】
本発明は、上述の問題に鑑み、軸受引抜き構造を有しながら、軸受強度を充分に確保できるようにした円すいころ軸受を提供することを目的とする。
【課題を解決するための手段】
【０００６】
本発明は、内周面に転動面を備えた外輪と、転動面と前記転動面を挟んで一対の鍔部とで外周面を形成した内輪と、前記外輪と前記内輪の両転動面上にあって前記外輪と前記内輪とを互いに相対回転させるとともに回転中心軸が軸受の回転中心軸に対して傾斜している複数の転動体とを備えた円すいころ軸受であって、前記転動体の回転軸方向端部の少なくとも一方に螺子溝を形成したことを特徴とする円すいころ軸受。
【発明の効果】
【０００７】
この円すいころ軸受により、軸受引抜き構造を有しながら、軸受の転動面及び鍔部の強度を充分に確保することが可能となる。
【図面の簡単な説明】
【０００８】
【図１】本発明の実施形態に係る転がり軸受の断面図である。
【図２】本発明の実施形態の変形例に係る転がり軸受の断面図である。
【図３】従来の転がり軸受の断面図である。
【発明を実施するための形態】
【０００９】
以下、本発明の実施形態につき、図面を参照しつつ詳細に説明する。
【００１０】
図１は、本発明の第１の実施形態に係る円すいころ軸受を示す断面図である。軸受１は、内周面に転動面２ａを備えた外輪２と、転動面３ａ及び転動面を挟んで配置された一対の鍔部３ｂとで外周面を形成した内輪３と、前記外輪と前記内輪の両転動面上にあって前記外輪と前記内輪とを互いに相対回転させる複数の転動体４とを備えている。前記転動体はその回転軸が軸受回転軸方向に対して傾斜するように配置され、前記内輪と前記外輪の各転動面も軸受回転軸方向に対して傾斜してそれぞれ内輪外周面、外輪内周面として形成されている。前記一対の鍔部のうち、内輪肉厚が薄い方を小鍔であり、内輪肉厚が厚い方を大鍔と称している。
【００１１】
前記転動体４は、回転中心軸方向の両端面の少なくとも一方に螺子溝４ａが設けられている。この螺子溝４ａの開口は転動体４端面の回転中心に設けられている。そして、図示しないＩボルト等をこの螺子溝４ａに螺合するとともに、かかるIボルトの目玉部分にワイヤー等を掛け回して図示しない駆動源により軸受の引抜き作業を行う。これにより強度の高い転動体を軸受の引き抜き部として利用するので、転動面や鍔部への負荷を低減できる効果を奏する。
【００１２】
また第１の実施形態の変形例では、螺子溝４ａを転動体の回転中心に平行に設けている。また、一対の螺子溝を互いに転動体中を貫通させて設けている。その他の構成と効果は第一の実施形態と同様である。
【００１３】
以上、第１の実施形態とその変形例について説明したが、第１の実施形態とその変形例における構成要素には、当業者が容易に想定できるもの、実質的に同一のもの、いわゆる均等の範囲のものが含まれる。また、第１の実施形態とその変形例の要旨を逸脱しない範囲で各実施形態の構成要素の種々の省略、置換又は変更を行うこともできる。
【符号の説明】
【００１４】
１  軸受
２  外輪
３  内輪
３ａ  鍔部
４  転動体
４ａ  螺子溝
【図１】
2015230009.tif 000003
【図２】
2015230009.tif 000004
【図３】
2015230009.tif 000005
(57)【要約】【課題】支持軸の軌道面が傾斜している場合でも、少なくともラジアル荷重の負荷圏にあるニードルと支持軸の軌道面が均一に接触し、且つ、軸受自体のサイズを上げる必要がないラジアルニードル軸受を提供することである。【解決手段】外輪１は、フリー（ハウジングに圧入前の）状態では、軌道面となる内径の寸法を軸方向（紙面の左右方向）で同一とし、外周面の外径寸法を軸方向で異なるようにする。この外輪１をハウジングに圧入すると、外輪１の軌道面１ｃが適切な角度に傾斜し、軸受の軌道面となる支持軸の傾きに対応し、ニードルと支持軸の軌道面が均一に接触する。【選択図】図１
2015230044.tif 000002
【特許請求の範囲】
【請求項１】
外輪の内径面が、ニードルの軌道面となるラジアルニードル軸受において、
ハウジングに圧入前の前記外輪の軌道面の内径寸法は軸方向で同一であり、前記外輪の外周面の外径寸法は軸方向で異なり、テーパーとなっていることを特徴とするラジアルニードル軸受。
【発明の詳細な説明】
【技術分野】
【０００１】
本発明は、回転するシャフトを支持するためのラジアルニードル軸受の改良に関する。
【背景技術】
【０００２】
従来から、例えば自動車の車両などに備えられた機構における回転系には径方向に大きな荷重が加わるため、その回転軸を回転自在に支持する軸受には、当該荷重に対する負荷能力に優れたラジアルニードル軸受が用いられることがある。このようなラジアルニードル軸受の一例として、特許文献１ には、自動車のエンジン用クランクシャフトなどを支持するためのラジアルニードル軸受の構成が例示されている。ラジアルニードル軸受は、転がり軸受の中でも最も外輪の肉厚が薄い(ニードルの内接円径に対する外径の割合が小さい)にもかかわらず、その負荷容量(ラジアル負荷容量)は大きく、また、省スペース化や装置の小型軽量化などに寄与するとともに、高い許容回転数を持ち、取付けが簡単であるなどという優れた特徴を有する。
【０００３】
ラジアルニードル軸受は、転動体であるニードルが外輪と回転軸との間に多数組み込まれることで、１つの軸受が構成されている。なお、ラジアルニードル軸受には、内輪付きと内輪なしの他、保持器付きと保持器なし(総ころ形)などによっていくつか形式や区別がある。
【先行技術文献】
【特許文献】
【０００４】
【特許文献１】特開２ ０ ０ ７ − １ ０ ０ １ ２ 号公報
【発明の概要】
【発明が解決しようとする課題】
【０００５】
ラジアルニードル軸受は、軌道面と転動体は均一に接触し、円滑に回転・荷重を支持することが重要であり、軌道面となる支持軸の傾きは極力小さくなければならないが、図３のように使用環境により支持軸４の傾きが避けられない場合がある。このような場合、荷重が入力されると軌道面４ａとニードル２が均一に接触できず、その結果、ニードル２の端部にエッジロードが発生する。このエッジロードにより、軸受寿命は大きく低下する事から、従来の対策としては軸受容量を増やす為に、ニードルの径や長さ、また、その数等をアップさせ軸受自体もサイズを上げる必要があった。
【０００６】
そこで、本発明の課題は、支持軸の軌道面が傾斜していても、少なくともラジアル荷重の負荷圏にあるニードルと支持軸の軌道面が均一に接触し、且つ、軸受自体のサイズを上げる必要がないラジアルニードル軸受を提供することである。
【課題を解決するための手段】
【０００７】
上記の課題を解決するために、本発明は、外輪の内径面が、ニードルの軌道面となるラジアルニードル軸受において、ハウジングに圧入前の前記外輪の軌道面の内径寸法は軸方向で同一であり、前記外輪の外周面の外径寸法は軸方向で異なり、テーパーとする構成を採用した。
【発明の効果】
【０００８】
上記の構成によれば、ラジアルニードル軸受をハウジングに圧入したときに、外輪の軌道面が、圧入前の外輪外周面と同様なテーパーとなるので、支持軸の精度（傾斜）が悪い場合においても、少なくともラジアル荷重の負荷圏にあるニードルは支持軸の軌道面と均一に接触し、エッジロード等の不具合を防止して、寿命を延長させることができる。
また、上記の構成のラジアルニードル軸受は、通常の外輪外周面を後加工すれば、容易に製作でき、そのコストも安価となる。
【図面の簡単な説明】
【０００９】
【図１】本発明の実施形態に係るラジアルニードル軸受の断面図である。
【図２】図１に示すラジアルニードル軸受をハウジングと、傾斜する支持軸に組んだ状態を表す断面図である。
【図３】従来のラジアルニードル軸受をハウジングと、傾斜する支持軸に組んだ状態を表す断面図である。
【発明を実施するための形態】
【００１０】
以下、本発明に係る密封装置の実施形態について、図面に基づいて詳細に説明する。
【００１１】
図１は、本発明に係る軸受であり、外輪１、複数のニードル２からなるラジアルニードル軸受である。なお、本実施形態は、保持器がないタイプのラジアルニードル軸受であるが、保持器があってもよく、後述の作用・効果も、保持器の有無で変わることはない。
【００１２】
外輪１は、フリー（ハウジングに圧入前の）状態では、軌道面となる内径の寸法は、軸方向（紙面の左右方向）で同一だが、外周面の外径寸法が軸方向で異なっている。本実施形態では、軸受軌道面となる支持軸の傾きに対応するため、外輪１をハウジングに圧入した際に外輪１の軌道面１ｃが適切な角度に傾斜するよう外輪外周面をテーパー状に加工し、その外径がφＤ１＞φＤ２となっている。
【００１３】
図２は、上述のラジアルニードル軸受をハウジング３に圧入し、ハウジング３の中心軸に対して傾斜した支持軸４がラジアルニードル軸受に挿入された状態を示したものである。
【００１４】
外輪１は、ハウジング３に圧入した際、外輪大径側１ａの内径は変形量が大きくなり小径側１ｂの内径に対して大きく縮径するため、外輪の軌道面１ｃが、ハウジング３に圧入前の外輪の外径同様のテーパー形状となる（但し、テーパーの向きは逆となる）。これにより、支持軸４の精度（傾斜）が悪い場合においても、少なくともラジアル荷重の負荷圏にあるニードル２は支持軸４の軌道面４ａと均一に接触し、エッジロード等の不具合を防止して、寿命を延長させることができる。
【００１５】
なお、外輪外周面のテーパーの角度は、運転中に想定される軌道面の傾斜角度を考慮して、決定すればよい。
また、本発明は、外輪をハウジングに圧入して使用する軸受であれば、その形式は問わず、シェル形ニードル軸受、ソリッド形ニードル軸受などであってもよい。
【符号の説明】
【００１６】
１  外輪
１ｃ  軌道面
２  ニードル
３  ハウジング
４  支持軸
４ａ  軌道面
【図１】
2015230044.tif 000003
【図２】
2015230044.tif 000004
【図３】
2015230044.tif 000005
(57)【要約】【課題】  自治体や企業等において、住民やサービス利用者等に対し文書や荷物を発送する場合、従来技術では同一の宛先に対し、様々な部署がそれぞれ異なるタイミングで文書や荷物等を発送するため、それぞれ個別に発送コストがかかる。【解決手段】  即時発送する必要のない文書は、文書の電子データと、宛先や発送期限日情報等をワンセットにしてサーバーコンピューターにプールする。  電子データとして扱えない荷物については、宛先や発送期限日情報等のみサーバーコンピューターにプールし、さらにそれらの情報を記入したタグを付与した上で発送作業拠点に保管する。  システムソフトウェアがサーバーコンピューターの発送期限日情報を参照し、期限日の到達した文書や荷物をピックアップして宛先毎にひとまとめにした後、発送する。これにより発送回数を減らし、発送作業の手間や発送料といったコストを削減する。【選択図】図１
2015230721.tif 000002
【特許請求の範囲】
【発明の詳細な説明】
【技術分野】  この発明は、文書や荷物を発送する方法およびシステムソフトウェアに関する。
【背景技術】
【０００１】  文書や荷物の発送情報を管理するシステムソフトウェアは、既に存在する。
自治体が住民へ発送する文書や、企業などがサービス利用者等に対し発送する文書及び荷物は、それぞれの部署が随時、既存技術を用いて発送する。
【先行技術文献】
特になし。
【発明の概要】
【発明が解決しようとする課題】
【０００２】  従来技術では同一の宛先に対し、様々な部署がそれぞれ異なるタイミングで文書や物を発送する（一元管理していない）ため、それぞれ個別に発送コストがかかる。
【課題を解決するための手段】
【０００３】  この発明では、発送情報や発送作業を一元管理し、宛先毎発送期限日毎に文書や荷物をひとまとめにして発送することにより、発送回数を減らす。【０００４】  即時発送する必要のない文書は、電子データとして、宛先や発送期限日情報等とワンセットにしてサーバーコンピューターにプールする。
電子データとして扱えない荷物については、宛先や発送期限日情報等のみサーバーコンピューターにプールし、さらにそれらの情報を記入したタグを付与した上で発送作業拠点に保管する。【０００５】  システムソフトウェアがサーバーコンピューターの宛先や発送期限日情報を参照し、期限日の到達した文書や荷物をピックアップして宛先毎にひとまとめにした後、発送する。
【発明の効果】
【０００６】  文書や荷物といった種別に関係なく、また発送元の部署に関係なく、宛先と発送期限日を基準にひとまとめにして発送するため、発送回数が減少し、発送作業の手間や発送料といったコストを削減できる。
またそれらを受け取る側も、個別バラバラではなくまとめて受け取ることができれば、受け取りや開封の手間の軽減が期待される。
【図面の簡単な説明】
【図１】この発明を示す原理構成図である。
【図２】従来一般的に行われている技術を示す原理構成図である。
【発明を実施するための形態】
【０００７】  この発明を図１に示す。
宛先や発送期限、文書データ、荷物を、サーバーコンピューターや発送作業拠点に集約、一元管理する。
【実施形態の効果】
【０００８】  従来の一般的技術の原理構成を図２に示す。
発送情報を集約、一元管理していないため、それぞれの部署がその都度、文書や荷物を発送する。このため発送作業も送料も、その都度発生し、ロスが大きい。
【０００９】  これに対し、この発明では発送情報、文書、荷物を集約して効率良く発送作業を管理できる。同一宛先への発送回数を極力まとめ、減らすことが可能となり、発送作業の手間や発送料といったコストを削減できる。
【図１】
2015230721.tif 000003
【図２】
2015230721.tif 000004
【手続補正書】
【提出日】平成26年7月23日(2014.7.23)
【手続補正３】
【補正対象書類名】特許請求の範囲
【補正対象項目名】全文
【補正方法】変更
【補正の内容】
【特許請求の範囲】
【請求項１】
電子文書や物を、発送期限日情報とワンセットにしてサーバーコンピューターにプールし、宛先毎発送期限日毎にひとまとめにして送付することにより、郵送コスト削減を図ることを特徴とする、システムソフトウェア。
(57)【要約】      （修正有）【課題】カーテンを束ねるタッセル紐に不用意に荷重が加えられた場合にタッセル紐が外れるタッセル紐を掛装する房掛を提供する。【解決手段】壁面へ固着した房掛のフック部２にタッセル紐をかけて使用し、幼児が誤ってタッセル紐に首を掛けてもフック部２が可動することでタッセル紐をフック部２から開放する構造を持つ。【選択図】図１
2015054232.tif 000002
【特許請求の範囲】
【請求項１】
窓枠等に固定するための基台部と、タッセル紐を掛装可能とするためのフック部とを備えたカーテン用房掛であって、前記基台部と、前記フック部とを別体に設けるとともに、フック部に掛装したタッセル紐に荷重が加わった時に、タッセル紐がフック部から外れる事を特徴とするカーテン用房掛。
【請求項２】
前記基台部に突起を設けその側面に貫通穴を設けて、前記フック部の側面に貫通穴を設けて、基台部の突起にある貫通穴とフック部の側面にある貫通穴に軸で組立フック部が回動自在になり、フック部の後部に当接する板状の弾性体を基台部の背面に固着した状態で弾性体の弾性力でフック部の後部を押圧してタッセル紐の掛装を保持する、該タッセル紐に荷重が加わりフック部が回動してタッセル紐を開放することを特徴とした請求項１記載のカーテン用房掛。
【請求項３】
前記基台部に突起を設けその側面に貫通穴を設けて、前記フック部の側面に貫通穴を設けて、基台部の突起にある貫通穴とフック部の側面にある貫通穴に軸で組立フック部が回動自在になり、弾性体を基台部に固着してフック部に弾性体の一部が当接する構成でタッセル紐の掛装を保持する、該タッセル紐に荷重が加わりフック部が回動してタッセル紐を開放することを特徴とした請求項１記載のカーテン用房掛。
【請求項４】
前記基台部に突起を設けその側面に貫通穴を設けて、前記フック部の側面に貫通穴を設けて、基台部の突起にある貫通穴とフック部の側面にある貫通穴に軸で組立フック部が回動自在になり、弾性体をフック部に固着して弾性体が基台部に当接することでタッセル紐の掛装を保持する、該タッセル紐に荷重が加わりフック部が回動してタッセル紐を開放することを特徴とした請求項１記載のカーテン用房掛。
【発明の詳細な説明】
【産業上の利用分野】
【０００１】本発明は、カーテン用の房掛でカーテンを束ねるタッセル紐を掛装する房掛で不用意にタッセル紐に荷重が加えられた場合にタッセル紐が外れる構造を有した房掛である。
【背景技術】
【０００２】窓枠等に固定するための基台部とタッセル紐を掛装する為のアーム部を一体的に形成した房掛であって、タッセル紐に荷重が掛かっても容易にタッセル紐が外れることが無いため、幼児などのいたずらでタッセル紐で首を吊る事故が発生している。
【課題を解決するための手段】
【０００３】本発明は、あらかじめフック部に荷重が掛かると荷重を開放するための構造を有しており、タッセル紐が房掛のフック部から外れることで幼児の事故を防ぐことを目的とする。また、この房掛でタッセル紐の破断、房掛の固定部破損も防ぐことができる。
【発明の効果】
【０００４】本発明により、タッセル紐での幼児の首吊り事故を防ぐことができる。
【発明を実施するための最良の形態】
【０００５】本発明は、カーテン用の房掛として窓枠などに基台部をねじ止め等で固着する。幼児の身長よりも高い位置に房掛を取付けることが出来ない窓に取付けることが最良の形態である。
【実施例】
【０００６】図面は本発明の房掛の一実施例を示したもので、図１は本発明の房掛を表した斜視図、図２は参考図として開放状態を示す。図３は請求項２記載の斜視図、図４は請求項３記載の斜視図、図５は請求項４記載の斜視図を示す。図中１は基台部を示し、１ａは基台部の突起部を示し、１ｂは基台部の貫通穴、２はフック部を示し、２ａはフック部の貫通穴、３は接続部を示し、４は回転軸を示す、５は弾性体をしめす。
【産業上の利用可能性】
【０００７】本発明は、カーテン用房掛のタッセル紐を掛装する為の房掛であって、タッセル紐に荷重が加わった時にタッセル紐が開放されることで幼児の首吊り事故等を防ぐ房掛である。
【図面の簡単な説明】
【０００８】
【図１】本発明による房掛の斜視図
【図２】房掛の開放状態の斜視図
【図３】請求項２の房掛の斜視図
【図４】請求項３の房掛の斜視図
【図５】請求項４の房掛の斜視図
【符号の説明】
【０００９】１        基台部
１ａ      基台部の突起部
１ｂ      貫通穴
２        フック部
２ａ      フック部の貫通穴
３        接続部
４        回転軸部
５        弾性体
【図１】
2015054232.tif 000003
【図２】
2015054232.tif 000004
【図３】
2015054232.tif 000005
【図４】
2015054232.tif 000006
【図５】
2015054232.tif 000007